(57)【特許請求の範囲】
【請求項１】
データ領域に複数のビデオタイトルのデータが記録され、管理領域には、前記複数のビデオタイトルのサーチアドレスが記述された記録媒体を再生する方法において、
前記複数のビデオタイトルのサーチアドレスを参照して、各ビデオタイトルの一部のみを再生する場合、セル数により再生時間を管理して再生量を決定する検索及び再生手順を有したことを特徴とするイントロ再生方法。
【請求項２】
データ領域に複数のビデオタイトルのデータが記録され、管理領域には、前記複数のビデオタイトルのサーチアドレスが記述された記録媒体を再生する方法において、
前記複数のビデオタイトルのサーチアドレスを参照して、各ビデオタイトルの一部のみを再生する場合、画像圧縮の単位であるビデオオブジェクトユニット数により再生時間を管理して再生量を決定する検索及び再生手順を有したことを特徴とするイントロ再生方法。
【請求項３】
データ領域に、それぞれ複数のチャプターを含むビデオタイトルのデータが記録され、管理領域には、前記複数のチャプターのサーチアドレスが記述された記録媒体を再生する方法において、
前記チャプターのサーチアドレスを参照して、各チャプターの一部のみを再生する場合、セル数により再生時間を管理して再生量を決定する検索及び再生手順を有したことを特徴とするイントロ再生方法。
【請求項４】
データ領域に、それぞれ複数のチャプターを含むビデオタイトルのデータが記録され、管理領域には、前記複数のチャプターのサーチアドレスが記述された記録媒体を再生する方法において、
前記チャプターのサーチアドレスを参照して、各チャプターの一部のみを再生する場合、画像圧縮の単位であるビデオオブジェクトユニット数により再生時間を管理して再生量を決定する検索及び再生手順を有したことを特徴とするイントロ再生方法。
【請求項５】
データ領域に複数のビデオタイトルのデータが記録され、管理領域には、前記複数のビデオタイトルのサーチアドレスが記述された記録媒体を再生する方法において、
前記複数のビデオタイトルのサーチアドレスを参照して、各ビデオタイトルの一部のみを再生する場合、タイマが計測した時間を設定することによって、前記一部の再生量を決定する検索及び再生手順を有したことを特徴とするイントロ再生方法。
【請求項６】
データ領域に、それぞれ複数のチャプターを含むビデオタイトルのデータが記録され、管理領域には、前記複数のチャプターのサーチアドレスが記述された記録媒体を再生する方法において、
前記チャプターのサーチアドレスを参照して、各チャプターの一部のみを再生する場合、タイマが計測した時間を設定することによって、前記一部の再生量を決定する検索及び再生手順を有したことを特徴とするイントロ再生方法。
【発明の詳細な説明】
【０００１】
【発明の属する技術分野】
この発明は、例えばデジタルビデオディスク記録再生装置に採用されて有効であり、記録媒体に記録されているタイトル単位あるいはチャプター（タイトルユニット）単位のイントロ再生を行う方法に関する。
【０００２】
【従来の技術】
近年、高密度記録のデジタルビデオディスクが開発され、このビデオディスクには映画等の映像情報、その映画の字幕（複数の言語字幕を記録して用意することが可能）、その映画のための音声（複数の言語の音声を記録して用意することが可能）が記録されている。またデジタルビデオディスクとしては、レーザ光を利用した光学的な手段により情報の書き込み消去が可能なものも開発されている。
【０００３】
上記のデジタルビデオディスクによると、記録容量が大きいために映画のソフトでも多数のビデオタイトルを有するものを記録することができる。例えば、スポーツ物語の映画、あるいは海底探索映画、あるいはミュージカルなどである。更に例えば、ミュージカルにおいては、第１幕、第２幕、第３幕…というふうに、多くのチャプタ（タイトルユニット）を記録することが可能であり、これから期待される記録媒体である。
【０００４】
【発明が解決しようとする課題】
ところで、上記のように多くのビデオタイトルを記録したデジタルビデオディスクをディスク再生装置により再生する場合、再生装置の機能とデジタルビデオディスクの制御情報とは相互に関連し、ユーザがビデオタイトルのメニューをみてどのタイトルを再生するのかを指定できるようになっている。
【０００５】
しかしながら、ユーザはメニューにより表示される少ない情報では満足しない場合がある。このためにメニューを階層的に作成し、より詳細な情報を確認できるようにする方法も考えられる。しかしメニューを階層的に見る場合、その操作が複雑化する。また、ユーザによっては、操作性に不便を感じる場合もある。
【０００６】
そこでこの発明は、再生制御やメニュー制御等を行うための管理情報を利用して、ポイントサーチを簡易化し、かつサーチ時間を短縮化することができるイントロ再生方法を提供することを目的とする。
【０００７】
【課題を解決するための手段】
この発明は、データ領域に複数のビデオタイトルのデータが記録され、管理領域には、前記複数のビデオタイトルのサーチアドレスが記述された記録媒体を再生する方法において、前記複数のビデオタイトルのサーチアドレスを参照して、各ビデオタイトルの一部のみを再生する場合、セル数により再生時間を管理して再生量を決定する検索及び再生手順を有するイントロ再生方法であり、または、データ領域に複数のビデオタイトルのデータが記録され、管理領域には、前記複数のビデオタイトルのサーチアドレスが記述された記録媒体を再生する方法において、前記複数のビデオタイトルのサーチアドレスを参照して、各ビデオタイトルの一部のみを再生する場合、画像圧縮の単位であるビデオオブジェクトユニット数により再生時間を管理して再生量を決定する検索及び再生手順を有したイントロ再生方法である。
又はこの発明は、データ領域に、それぞれ複数のチャプターを含むビデオタイトルのデータが記録され、管理領域には、前記複数のチャプターのサーチアドレスが記述された記録媒体を再生する方法において、前記チャプターのサーチアドレスを参照して、各チャプターの一部のみを再生する場合、セル数により再生時間を管理して再生量を決定する検索及び再生手順を有するイントロ再生方法であり、または、データ領域に、それぞれ複数のチャプターを含むビデオタイトルのデータが記録され、管理領域には、前記複数のチャプターのサーチアドレスが記述された記録媒体を再生する方法において、前記チャプターのサーチアドレスを参照して、各チャプターの一部のみを再生する場合、画像圧縮の単位であるビデオオブジェクトユニット数により再生時間を管理して再生量を決定する検索及び再生手順を有したイントロ再生方法である。
又この発明は、データ領域に複数のビデオタイトルのデータが記録され、管理領域には、前記複数のビデオタイトルのサーチアドレスが記述された記録媒体を再生する方法において、前記複数のビデオタイトルのサーチアドレスを参照して、各ビデオタイトルの一部のみを再生する場合、タイマが計測した時間を設定することによって、前記一部の再生量を決定する検索及び再生手順を有したイントロ再生方法であり、または、データ領域に、それぞれ複数のチャプターを含むビデオタイトルのデータが記録され、管理領域には、前記複数のチャプターのサーチアドレスが記述された記録媒体を再生する方法において、前記チャプターのサーチアドレスを参照して、各チャプターの一部のみを再生する場合、タイマが計測した時間を設定することによって、前記一部の再生量を決定する検索及び再生手順を有したイントロ再生方法である。
【０００８】
【発明の実施の形態】
以下、この発明の実施の形態を図面を参照して説明する。
【０００９】
まずこの発明の装置において用いられる光ディスクのファイル構造について説明する。
【００１０】
図１は、光学式ディスクのボリウム空間を示している。
【００１１】
図１に示すように、ボリウム空間は、ボリウム及びファイル構成ゾーン、ＤＶＤビデオゾーン、他のゾーンからなる。ボリウム及びファイル構成ゾーンには、ＵＤＦブリッジ構成が記述されており、所定規格のコンピュータでもそのデータを読み取れるようになっている。ＤＶＤビデオゾーンは、ビデオマネージャー（ＶＭＧ）、ビデオタイトルセット（ＶＴＳ）を有する。ビデオマネージャー（ＶＭＧ）、ビデオタイトルセット（ＶＴＳ）は、それぞれ複数のファイルで構成されている。ビデオマネージャー（ＶＭＧ）は、ビデオタイトルセット（ＶＴＳ）を制御するための情報である。
【００１２】
図２には、ビデオマネージャー（ＶＭＧ）とビデオタイトルセット（ＶＴＳ）の構造をさらに詳しく示している。
【００１３】
ビデオマネージャー（ＶＭＧ）は、ビデオタイトルセット等を制御する制御データとしてのビデオマネージャーインフォーメーション（ＶＭＧＩ）と、メニュー表示のためのデータとしてのビデオオブジェクトセット（ＶＭＧＭ＿ＶＯＢＳ）を有する。またバックアップ用のビデオマネージャーインフォーメーション（ＶＭＧＩ）も有する。
【００１４】
ビデオタイトルセット（ＶＴＳ）は、制御データとしてのビデオタイトルセットインフォーメーション（ＶＴＳＩ）と、メニュー表示のためのデータとしてのビデオオブジェクトセット（ＶＭＧＭ＿ＶＯＢＳ）と、映像表示のためのビデオオブジェクトセットである、ビデオタイトルセットのタイトルのためのビデオオブジェクトセット（ＶＴＳＴＴ＿ＶＯＢＳ）とが含まれる。またバックアップ用のビデオタイトルセットインフォーメーション（ＶＴＳＩ）も有する。
【００１５】
さらに、映像表示のためのビデオオブジェクトセットである（ＶＴＳＴＴ＿ＶＯＢＳ）は、複数のセル（Ｃｅｌｌ）で構成されている。各セル（Ｃｅｌｌ）にはセルＩＤ番号が付されている。
【００１６】
図３には、上記のビデオオブジェクトセット（ＶＯＢＳ）とセル（Ｃｅｌｌ）の関係と、さらにセル（Ｃｅｌｌ）の中身を階層的に示している。ＤＶＤの再生処理が行われるときは、映像の区切り（シーンチェンジ、アングルチェンジ、ストーリーチェンジ等）や特殊再生に関しては、セル（Ｃｅｌｌ）単位またはこの下位の層であるビデオオブジェクトユニット（ＶＯＢＵ）単位で取り扱われるようになっている。
【００１７】
ビデオオブジェクトセット（ＶＯＢＳ）は、まず、１つまたは複数のビデオオブジェクト（ＶＯＢ＿ＩＤＮ1 〜ＶＯＢ＿ＩＤＮi ）で構成されている。さらに１つのビデオオブジェクトは、１つまたは複数のセル（Ｃ＿ＩＤＮ1 〜Ｃ＿ＩＤＮj ）により構成されている。さらに１つのセル（Ｃｅｌｌ）は、１つまたは複数のビデオオブジェクトユニット（ＶＯＢＵ）により構成されている。そして１つのビデオオブジェクトユニット（ＶＯＢＵ）は、１つのナビゲーションパック（ＮＶ＿ＰＣＫ）、１つまたは複数のオーディオパック（Ａ＿ＰＣＫ）、１つまたは複数のビデオパック（Ｖ＿ＰＣＫ）、１つまたは複数のサブピクチャーパック（ＳＰ＿ＰＣＫ）で構成されている。
【００１８】
ナビゲーションパック（ＮＶ＿ＰＣＫ）は、主として所属するビデオオブジェクトユニット内のデータの再生表示制御を行うための制御データ及びビデオオブジェクトユニットのデータサーチを行うための制御データとして用いられる。
【００１９】
ビデオパック（Ｖ＿ＰＣＫ）は、主映像情報であり、ＭＰＥＧ等の規格で圧縮されている。またサブピクチャーパック（ＳＰ＿ＰＣＫ）は、基本的には主映像に対して補助的な内容を持つサブピクチャー情報である。例えば映画の字幕、シナリオ、などであり、ランレングス圧縮技術が用いられる。オーディオパック（Ａ＿ＰＣＫ）は、音声情報である。
【００２０】
図４には、ビデオオブジェクト（ＶＯＢ）と、セルとの関係を取り出して示している。図４（Ａ）に示す例は、１つのタイトル（例えば映画のシーン）が連続している状態のブロック配列であり、ブロック内のセルが連続して再生される。これに対して、図４（Ｂ）は、マルチシーンを記録した場合のセルの配列例を示している。即ち、ＤＶＤにおいては、同時進行するイベントであって、異なる角度から撮影した映像を記録してもよいという規格が定められている。例えば、野球の映画であった場合、バックネット裏から球場全体を撮影した映像と、審判の顔をズームアップした映像とを同時に取得し、それぞれの映像を複数のユニットに分割し、これらをインターリーブしてトラック上に記録するものである。図４（Ｂ）の例は、２つのシーンをユニットに分割して、各ユニットをインターリーブした例を示している。このようなディスクが再生される場合は、いずれか一方のユニットが飛び飛びに取得されて、再生されることになる。いずれのシーンを選択するかは、ユーザの操作により決定されるか、又は、優先順位が付されておりユーザ選択がない場合には優先度の高い方が再生される。
【００２１】
図５には、プログラムチェーン（ＰＧＣ）により、上記のセル（Ｃｅｌｌｓ）がその再生順序を制御される例を示している。
【００２２】
プログラムチェーン（ＰＧＣ）としては、データセルの再生順序として種々設定することができるように、種々のプログラムチェーン（ＰＧＣ＃１、ＰＧＣ＃２、ＰＧＣ＃３…）が用意されている。したがって、プログラムチェーンを選択することによりセルの再生順序が設定されることになる。
【００２３】
プログラムチェーンインフォメーション（ＰＧＣＩ）として記述されているプログラム＃１〜プログラム＃ｎが実行される例を示している。図示のプログラムは、ビデオオブジェクトセット（ＶＯＢＳ）の＃ｓ以降のセルを順番に指定する内容となっている。
【００２４】
図６には、図２で示したビデオマネージャー情報（ＶＭＧＩ）の内容をさらに詳しく示している。ＶＭＧＩのエリアは、ビデオタイトルセットディレクトリに関する情報を記述するところである。例えばタイトルを検索するための情報、ファーストプレイプログラムチェーン（ＦＰ＿ＰＧＣ）とビデオマネジャーメニュー（ＶＭＧＭ）を再生するための情報、あるいはパレンタル管理及び各ビデオタイトルセットアトリビュート（ＶＴＳ＿ＡＴＲ）とテキストデータ（ＴＸＴＤＴ）に関する情報を記述する。
【００２５】
ＶＭＧＩは、ビデオマネジャー情報管理テーブル（ＶＭＧＩ＿ＭＡＴ），タイトルサーチポインタテーブル（ＴＴ＿ＳＲＰＴ），ビデオマネージャー・メニューＰＧＣＩユニットテーブル（ＶＭＧＭ＿ＰＧＣＩ＿ＵＴ），パレンタル管理情報テーブル（ＰＴＬ＿ＭＡＩＴ）、ビデオタイトルセット属性情報テーブル（ＶＴＳ＿ＡＴＲＴ）、テキストデータマネージャー（ＴＸＴＤＴ＿ＭＧ）、ビデオマネージャーメニューセルアドレステーブル（ＶＭＧＭ＿Ｃ＿ＡＤＴ）、ビデオマネージャーメニュービデオオブジェクトユニットアドレスマップ（ＶＭＧＭ＿ＶＯＢＵ＿ＡＤＭＡＰ）が存在する。
【００２６】
図７には、ビデオマネジャー情報管理テーブル（ＶＭＧＩ＿ＭＡＴ）の内容を示している。ＶＭＧ識別子、ＶＭＧの終了アドレス、ＶＭＧＩの終了アドレスなどが記述されている。アドレスは本ＶＭＧの先頭論理ブロック（ＬＢ）からの相対論理ブロック数（ＲＬＢＮ）で記述されている。さらにバージョン番号、ビデオマネージャーカテゴリー（地域管理に関する情報であり、この内容により、著作権等の関係で地域によってはその地域向けの再生装置はディスクを再生できないようにすることができる）、ボリウムセット識別子（ボリウム数、ボリウム番号、ディスク面識別子を含む）が記述される。
【００２７】
次にビデオタイトルセット数も記述される。このビデオタイトルセット数を把握することにより、ディスクに幾つのビデオタイトルが記録されているかを認識することができる。
【００２８】
さらにプロバイダの識別子、ＰＯＳコード、ＶＭＧ＿ＭＡＴの終了アドレス、ファーストプレイプログラムチェーン情報の先頭アドレス（ＦＰ＿ＰＧＣＩ＿ＳＡ）、ビデオマネージャーのメニューを表示するビデオオブジェクトセットの先頭アドレス（ＶＭＧＭ＿ＶＯＢＳ＿ＳＡ）、タイトルサーチポインタテーブルのスタートアドレス（ＴＴ＿ＳＲＰＴ＿ＳＡ），ビデオマネージャーメニュープログラムチェーン情報のユニットテーブルのスタートアドレス（ＶＭＧＭ＿ＰＧＣＩ＿ＵＴ＿ＳＡ），パレンタルマネジメント情報テーブルの先頭アドレス（ＰＴＬ＿ＭＡＩＴ＿ＳＡ）、ビデオタイトルセット属性テーブルの先頭アドレス（ＶＴＳ＿ＡＴＲＴ＿ＳＡ），テキストデータマネジャーのスタートアドレス（ＴＸＴＤＴ＿ＭＧ＿ＳＡ）、ビデオマネージャーメニューセルアドレステーブルのスタートアドレス（ＶＭＧＭ＿Ｃ＿ＡＤＴ＿ＳＡ），ビデオマネージャーのメニューのためのビデオオブジェクトのアドレスマップの先頭アドレス（ＶＭＧＭ＿ＶＯＢＵ＿ＡＤＭＡＰ＿ＳＡ），ビデオマネージャーのメニューのためのビデオの属性（ＶＭＧＭ＿Ｖ＿ＡＴＲ），ビデオマネージャーのメニューのためのオーディオストリーム数，ビデオマネージャーのメニューのためのオーディオストリームの属性，ビデオマネージャーのメニューのためのサブピクチャーのストリーム数、ビデオマネージャーのメニューのためのサブピクチャーのストリーム属性、ファーストプレイプログラムチェーン情報が記述されている。
【００２９】
ＶＭＧＭ＿Ｖ＿ＡＴＲには、ビデオ圧縮モード、テレビジョン方式、アスペクト比、表示モード、ライン２１データ（クローズドキャプションデータ）の有無、ソース映像の解像度等が記述されている。
【００３０】
オーディオストリームの属性としては、符号化モード（ＡＣ３，ＭＰＥＧ，リニアＰＣＭなどの識別）、量子化数、チャンネル数等が記述されている。サブピクチャーの属性としては、ランレングス圧縮されたものであるのか他の方式であるかの情報が記述されている。
【００３１】
図８にはタイトルサーチポインタテーブル（ＴＴ＿ＳＲＰＴ）の内容が記述されている。
【００３２】
ＴＴ＿ＳＲＰＴは、タイトルサーチポインタテーブル情報（ＴＴ＿ＳＲＰＴＩ）と一個以上のタイトルサーチポインタ（ＴＴ＿ＳＲＰＴ＃ｎ）を有する。
【００３３】
ＴＴ＿ＳＲＰＴＩには、図９に示すようにタイトルサーチポインタの数、タイトルサーチポインタテーブルの終了アドレスが記述され、又図１０に示すように、ＴＴ＿ＳＲＰＴ＃ｎにはタイトルプレイバックタイプ（当該タイトルの再生が１つのプログラムチェーンで実現できるものであるのか、あるいは複数のプログラムチェーンで実現されるものであるのかを示す）が記述され、また当該タイトルにおけるアングル数（ＡＧＬ＿Ｎｓ）等が記述されている。又パートオブタイトル数（ＰＴＴ＿Ｎｓ）が記述されている、この数は、チャプター数に対応する。
【００３４】
さらにビデオタイトルセット番号（ＶＴＳＮ）（本タイトルが含まれているＶＴＳを示すＶＴＳ番号を１から９９の範囲で記述），ＶＴＳタイトル番号（ＶＴＳ＿ＴＴＮ）、本ＶＴＳの先頭アドレス（ＶＴＳ＿ＳＡ）が記述されている。
【００３５】
上記の情報を得ることにより、アングル数を知ることができ、また、ＶＴＳのタイトル数、チャプター数も認識することができる。
【００３６】
図１１には、ビデオマネージャーメニュープログラムチェーン情報ユニットテーブル（ＶＭＧＭ＿ＰＧＣＩ＿ＵＴ）の内容が示されている。このテーブルは、各言語によるビデオマネージャメニューを再生するＶＭＧメニュープログラムチェーン情報に関する情報を記述されている。このテーブルは、ビデオマネージャメニュープログラムチェーン情報ユニットテーブル情報（ＶＭＧＭ＿ＰＧＣＩ＿ＵＴＩ）から始まり、言語ごとのビデオマネージャメニュー言語ユニットサーチポインタ（ＶＭＧＭ＿ＬＵ＿ＳＲＰ＃ｎ）と、ビデオマネージャメニュー言語ユニット（ＶＭＧＭ＿ＬＵ＃ｎ）が記述されている。
【００３７】
図１２には、パレンタル管理情報テーブル（ＰＴＬ＿ＭＡＩＴ）の内容を示している。ＰＴＬ＿ＭＡＩＴは、パレンタル管理情報サーチポインタ（ＰＴＬ＿ＭＡＩ＿ＳＲＰ＃ｎ）と、パレンタル管理情報（ＰＴＬ＿ＭＡ＃ｎ）を記述されている。パレンタル管理情報サーチポインタは、国コードと対応するパレンタル管理情報のスタートアドレスを記述している。パレンタル管理情報は、どのビデオタイトルセットが、どの程度のパレンタルレベルに相当するかを記述している。
【００３８】
図１３には、ビデオタイトルセット属性情報テーブル（ＶＴＳ＿ＡＴＲＴ）の内容を示している。ＶＴＳ＿ＡＴＲＴは、ビデオタイトルセット属性情報テーブル情報（ＶＴＳ＿ＡＴＲＴＩ）から始まり、各ビデオタイトルセット用のタイトルセット属性サーチポインタ（ＶＴＳ＿ＡＴＲ＿ＳＲＰ＃ｎ）、各ビデオタイトルセット用のビデオタイトルセット属性（ＶＴＳ＿ＡＴＲ＃ｎ）が記述されている。
【００３９】
ＶＴＳ＿ＡＴＲＴＩには、図１４に示すようにＶＴＳの数や属性情報テーブル（ＶＴＳ＿ＡＴＲＴ）の終了アドレスが記述される。ＶＴＳ＿ＡＴＲ＿ＳＲＰには、図１５に示すようにビデオタイトルセット属性（ＶＴＳ＿ＡＴＲ）の先頭アドレスが記述されている。ＶＴＳ＿ＡＴＲには、図１６に示すように属性情報の終了アドレス、ビデオタイトルセットのカテゴリー、ビデオタイトルセットの属性情報が記述されている。
【００４０】
カテゴリーとしては、カラオケであるかないかを記述される。属性情報としては、ビデオ圧縮モード、テレビジョン方式、アスペクト比、表示モード、オーディオストリーム数、オーディオ符号化モード、量子化数、オーディオチャンネル数、副映像ストリーム数、副映像符号化モードなどがあり、これらはメニュー画面用と本タイトル用とが記述されている。
【００４１】
図１７には、テキストデータマネージャ（ＴＸＴＤＴ＿ＭＧ）の内容を示している。ボリユーム及び全タイトル用のボリューム名、アルバム名、及びプロデューサ名等の情報がテキスト形式で記述される。
【００４２】
図１８には、ビデオマネージャメニューセルアドレステーブル（ＶＭＧＭ＿Ｃ＿ＡＤＴ）を詳しく示している。このテーブルには、ＶＭＧＭ＿ＶＯＢＳ内のすべてのセルとインターリーブドユニット（ＩＬＶＵ）の先頭アドレスと終了アドレスが記述される。このテーブルは、ビデオマネージャメニューセルアドレステーブル情報（ＶＭＧＭ＿Ｃ＿ＡＤＴＩ）で始まり、セルごとのビデオマネージャメニューセルピース情報（ＶＭＧＭ＿ＣＰＩ）が記述される。セルピースは連続ブロック内では、セルと同じである。インターリーブドブロック内ではセルピースは、インターリーブドユニット（ＩＬＶＵ）と同じである。又各セルピースのＶＭＧＭ＿ＣＰＩは、最初にＶＯＢ＿ＩＤＮ，２番目にＣ＿ＩＤＮ，３番目にセル内のセルピースの再生順序の順で記述されている。ここで言うビデオオブジェクト識別番号（ＶＯＢ＿ＩＤＮ），セル識別番号（Ｃ＿ＩＤＮ）は、セルピースが属するセルのものである。
【００４３】
図１９にはビデオマネージャメニュービデオオブジェクトユニットアドレスマップ（ＶＭＧＭ＿ＶＯＢＵ＿ＡＤＭＡＰ）の内容を示している。
【００４４】
このマップには、ＶＭＧＭ＿ＶＯＢＵ内の全てのＶＯＢＵの先頭アドレスがその論理ブロック番号の昇順に記述される。ＶＭＧＭ＿ＶＯＢＵ＿ＡＤＭＡＰは、ビデオマネージャメニュービデオオブジェクトユニットアドレスマップ情報（ＶＭＧＭ＿ＶＯＢＵ＿ＡＤＭＡＰＩ）に続き、各ＶＭＧＭ＿ＶＯＢＵアドレスが記述される。
【００４５】
以上の説明は、ビデオマネージャ情報（ＶＭＧＩ）の内容である。ディスクには、図２に示すようにビデオタイトルセットが記録されており、この中にビデオタイトルセット情報（ＶＴＳＩ）が存在する。
【００４６】
このＶＴＳＩもＶＭＧＩに類似する形態であるが、ＶＴＳＩにはこのＶＴＳＩが属するところのビデオタイトルセットに関する情報が主として記述されている。
【００４７】
図２０に示すようにビデオタイトルセット情報（ＶＴＳＩ）には、１個以上のビデオタイトルセットとビデオタイトルセットメニューのための管理情報を記述する。またパートオブタイトル（ＰＴＴ）（チャプタ）をサーチするための管理情報、ビデオオブジェクトセット（ＶＯＢＳ）及びビデオタイトルセットメニュー（ＶＴＳＭ）を再生するための管理情報、またＶＯＢＳの属性に関する情報等のタイトルの管理情報を記述している。
【００４８】
ビデオタイトルセット情報（ＶＴＳＩ）の中にビデオタイトルセット情報管理テーブル（ＶＴＳＩ＿ＭＡＴ），ビデオタイトルセットＰＴＴサーチポインタテーブル（ＶＴＳ＿ＰＴＴ＿ＳＲＰＴ），ビデオタイトルセットプログラムチェーン情報テーブル（ＶＴＳ＿ＰＧＣＩＴ），ビデオタイトルセットメニューＰＧＣＩユニットテーブル（ＶＴＳＭ＿ＰＧＣＩ＿ＵＴ），ビデオタイトルセットタイムマップテーブル（ＶＴＳ＿ＴＭＡＰＴ），ビデオタイトルセットセルアドレステーブル（ＶＴＳ＿Ｃ＿ＡＤＴ），ビデオタイトルセットメニュービデオオブジェクトユニットアドレスマップ（ＶＴＳＭ＿ＶＯＢＵ＿ＡＤＭＰ）、ビデオタイトルセットセルアドレステーブル（ＶＴＳ＿Ｃ＿ＡＤＴ），ビデオタイトルセットビデオオブジェクトユニットアドレスマップ（ＶＴＳ＿ＶＯＢＵ＿ＡＤＭＰ）が記述されている。
【００４９】
以下、上記の各記述内容をさらに詳しく説明する。
【００５０】
図２１には、ＶＴＳＩ＿ＭＡＴの内容を示している。
【００５１】
識別子、ＶＴＳ終了アドレス、ＶＴＳＩ終了アドレス、バージョン番号、ＶＴＳＩ＿ＭＡＴの終了アドレス、ビデオタイトルセットメニュービデオオブジェクトセット（ＶＴＳＭ＿ＶＯＢＳ）の先頭アドレス等が記述されている。
【００５２】
図２２には、ビデオタイトルセットパートオブタイトルサーチポインタテーブル（ＶＴＳ＿ＰＴＴ＿ＳＲＰＴ）の内容を記述している。
【００５３】
ＶＴＳ＿ＰＴＴ＿ＳＲＰＴには、ビデオタイトルセットパートオブタイトルサーチポインタテーブル情報（ＰＴＴ＿ＳＲＰＴＩ）と各タイトル用タイトルサーチポインタ（ＴＴ＿ＳＲＰ＃ｎ）が記述されている。
【００５４】
ＰＴＴはタイトル内のエントリーポイントである。ＰＴＴはＰＧＣ番号とＰＧ番号が記述されたＰＴＴサーチポインタによりＰＧの先頭に付与されている。ＰＴＴ番号は、タイトルごとにＰＴＴサーチポインタが記述された順に１からＰＴＴの数まで昇順に付与されている。タイトルごとのＰＴＴ＿ＳＲＰ群をタイトルユニット（ＴＴＵ）と呼ぶ。
【００５５】
図２３にはＰＴＴ＿ＳＲＰＴＩの内容を示している。ビデオタイトルセット内のタイトルユニット（ＴＵＵ）の数が記述されている。この数はビデオタイトルセット内のタイトル数と同じである。
【００５６】
図２４には、タイトルユニットサーチポインタを示している。ＴＴＵの先頭アドレスが本ＶＴＳ＿ＰＴＴ＿ＳＲＰＴの先頭バイトからの相対論理ブロックで記述されている。つまりタイトルは、複数のタイトルユニットからなることになる。このタイトルユニットは、１つ以上のプログラムに対応する。
【００５７】
図２５には、パートオブタイトルのサーチポインタの内容を示している。ここには、プログラムチェーン番号（ＰＧＣＮ）、プログラム番号（ＰＧＮ）が記述されている。サーチポインタの数によりチャプタ数を認識することができる。
【００５８】
プログラムチェーン番号を把握すれば，プログラムチェーンサーチポインタ（ＶＴＳ＿ＰＧＣＩ＿ＳＲＰ＃ｎ）を決定することができる。そして，このサーチポインタが決まるとプログラムチェーン情報（ＰＧＣＩ）（後述する）を取得し、再生順序を確定することができる。
【００５９】
なお説明では、ビデオタイトル再生について説明しているが、メニュー用のビデオを再生する場合も同様である。
【００６０】
図２６にはビデオタイトルセットプログラムチェーン情報テーブルの内容を示している。ビデオタイトルセットのためのプログラムチェーン情報であり、ビデオタイトルセットＰＧＣＩテーブル情報（ＶＴＳ＿ＰＧＣＩＴＩ）から始まり、ビデオタイトルセットプログラムチェーン情報サーチポインタ（ＶＴＳ＿ＰＧＣＩ＿ＳＲＰ＃ｎ），１個以上の各サーチポインタに対応するビデオタイトルセットプログラムチェーン情報（ＶＴＳ＿ＰＧＣＩ）が記述されている。
【００６１】
ＶＴＳ＿ＰＧＣＩＴＩにはサーチポインタの数、テーブルの終了アドレスが記述されており、ＶＴＳ＿ＰＧＣＩ＿ＳＲＰ＃ｎにはビデオタイトルセットのカテゴリ（エントリープログラムチェーンかどうか）、プログラムチェーン情報の先頭アドレスが記述される。
【００６２】
ＶＴＳ＿ＰＧＣ番号は、ＶＴＳ＿ＰＧＣＩ＿ＳＲＰの記述順に１から付与される。ブロックを形成するＰＧＣは連続して記述される。
【００６３】
図２７には、ビデオタイトルセットのメニューのためのプログラムチェーン情報ユニットテーブル（ＶＴＳＭ＿ＰＧＣＩ＿ＵＴ）を示している。各言語のビデオタイトルセットメニューを再生するためのメニュープログラムチェーン情報が記述されている。各ビデオタイトルセット言語ユニットサーチポインタ（ＶＴＳＭ＿ＰＧＣＩ＿ＵＴＩ＃ｎ）とこれに対応するビデオタイトルセットメニュー言語ユニット（ＶＴＳＭ＿ＬＵ＃ｎ）が記述されている。
【００６４】
図２８にはビデオタイトルセットタイムマップテーブル（ＶＴＳ＿ＴＭＡＰＴ）の内容を記述している。このテーブルには、本ビデオタイトルセットを再生するときの各プログラムチェーンにおけるビデオオブジェクトユニットの、一定再生時間毎の記録位置に関する情報を記述している。
【００６５】
ビデオタイトルセットタイムマップテーブル情報（ＶＴＳ＿ＴＭＡＰＴＩ）に始まり、ＶＴＳタイムマップサーチポインタ＃１、……が記述され、ビデオタイトルセットタイムマップ＃１、……が記述されている。ビデオタイトルセットタイムマップテーブル情報内には、ビデオタイトルセットタイムマップの数、タイムマップの終了アドレスが記述されている。又、各タイムマップサーチポインタには、対応する各ビデオタイトルセットタイムマップのスタートアドレスが記述されている。
【００６６】
図２９には、ビデオタイトルセットメニューセルアドレステーブル（ＶＴＳＭ＿Ｃ＿ＡＤＴ）を詳しく示している。このメニューセルアドレステーブルは、ビデオタイトルセットメニュービデオオブジェクトセット内の全セル及び全インターリーブドユニットの先頭及び終了アドレスを記述するテーブルである。このアドレステーブルは、ビデオタイトルセットメニューセルアドレステーブル情報（ＶＴＳＭ＿Ｃ＿ＡＤＴＩ）に始まり、続いてセルピース毎のビデオタイトルセットメニューセルピース情報（ＶＴＺＭ＿ＣＰＩ）が順次記述されている。
【００６７】
図３０には、ビデオタイトルセットメニュービデオオブジェクトユニットアドレスマップ（ＶＴＳＭ＿ＶＯＢＵ＿ＡＤＭＡＰ）の内容を詳しく示している。
【００６８】
このアドレスマップには、ＶＴＳ＿ＶＯＢＳ内の全ＶＯＢＵの先頭アドレスがその論理ブロック番号で記述されている。ＶＴＳＭ＿ＶＯＢＵ＿ＡＤＭＡＰ情報で始まり、続いてＶＯＢＵ毎の各ビデオタイトルセットメニュービデオオブジェクトユニットのアドレスが記述されている。
【００６９】
図３１には、ビデオタイトルセットセルアドレステーブル（ＶＴＳ＿Ｃ＿ＡＤＴ）が記述されている。このセルアドレステーブルは、本ビデオタイトルセットビデオオブジェクトセット内の全セル及び全インターリーブドユニットの先頭及び終了アドレスを記述するテーブルである。ビデオタイトルセットセルアドレステーブル情報に始まり、続いてセルピース毎のビデオタイトルセットセルピース情報（ＶＴＳ＿ＣＰＩ）が記述される。
【００７０】
連続ブロック内ではセルピースは、セルに等しい。インターリーブドブロック内では、セルピースは１つのセルインターリーブドユニット（ＩＬＶＵ）に等しい。各セルピースのＶＴＳ＿ＣＰＩは、最初にＶＯＢ＿ＩＤ（ビデオオブジェクトユニット識別子），２番目にＣ＿ＩＤＮ（セル識別番号），３番目にセル内のセルピースの再生順が記述される。セル境界が１つのＩＬＶＵ内に存在する場合には、ＶＴＳ＿ＣＰＩはそのＩＬＶＵ内のセルごとにＶＴＳ＿Ｃ＿ＡＤＴ内に記述される。各ＶＴＳ＿ＣＰＩは、そのＩＬＶＵの先頭アドレスと終了アドレスにそれぞれ等しいＶＴＳ＿ＣＰ＿ＳＡと、ＶＴＳ＿ＣＰ＿ＥＡとが記述される。
【００７１】
図３２には、ビデオタイトルセットビデオオブジェクトユニットアドレスマップ（ＶＴＳ＿ＶＯＢＵ＿ＡＤＭＡＰ）を詳しく示している。
【００７２】
このマップには、ビデオタイトルセットタイトル  ビデオオブジェクトセット（ＶＴＳＴＴ＿ＶＯＢＳ）内のビデオオブジェクトユニット（ＶＯＢＵ）の先頭アドレスがその論理ブロック番号の昇順で記述されている。ＶＴＳ＿ＶＯＢＵ＿ＡＤＭＡＰ情報で始まり、続いてＶＯＢＵ毎のビデオタイトルセットビデオオブジェクトユニットアドレス（ＶＴＳ＿ＶＯＢＵ＿ＡＤ）を記述している。
【００７３】
上記したように、このデジタルビデオディスクには、各種の管理情報が記述されているのでこれを有効に活用するものである。
【００７４】
図３３にはこの発明に係るディスク再生装置の一実施の形態を示している。
【００７５】
ユーザは、搭載したディスクに記録されているタイトルをイントロ再生するか、あるいはタイトルを選択した後にディスクに記録されているチャプターをイントロ再生するのかをキー操作、あるいはリモコン操作により選択して、決定する。イントロ再生中に再度キー操作をすることによりイントロ再生中の個所から通常の再生を続けることができる。
【００７６】
更にイントロ再生中のタイトル番号あるいはチャプター番号をユーザ向けに表示し、その番号を選択選択するとイントロ再生した個所と同じ位置から通常再生に移行することができる。
【００７７】
本発明は、いかに簡単な操作で、かつ目的のポイントをサーチしてその位置から再生するかが本発明の目的である。
【００７８】
ディスクドライブ部１０１には、光学ヘッド手段が含まれており、光学的に光ディスク１００の記録データを読み取ることができる。読み取られた信号は、データ処理部１０３に導かれる。データ処理部１０３に接続されている一時記憶部１０２は、読み取ったデータを一時的に格納する部分である。データ処理部１０３で復調及びエラー訂正処理された再生データは、デコード部２００の分離部２０１に導入される。分離部２０１では、ビデオパック、副映像パック、オーディオパックを分離し、ビデオデコード部２０２、副映像デコード部２０３、オーディオデコード部２０４にそれぞれ供給する。
【００７９】
ビデオデコード部２０２で符号された主映像データ及び、副映像デコード部２０３で復号された副映像は、ビデオ処理部２０５に入力されて、合成されデジタルアナログ（Ｄ／Ａ）変換器２０６に入力されてアナログビデオ信号に変換される。また、オーディオデコード部２０４でデコードされたオーディオデータは、デジタルアナログ（Ｄ／Ａ）変換器２０７に入力されてアナログオーディオ信号に変換される。なお副映像デコード部２０３、オーディオデコード部２０４においては、制御部から指定されているストリームが処理対象となる。
【００８０】
また、先のデータ処理部１０３で復調及びエラー訂正処理された再生データの内、各種管理用の制御データは、メイン制御部３００に供給される。
【００８１】
メイン制御部３００においては、デジタルビデオディスクを再生するための各種の管理機能を有するが、図面では、本発明に関係する重要な部分だけを取出して示している。
【００８２】
メイン制御部３００には、制御コマンド発行部３０１があり、この制御コマンド発行部３０１からの読み取り指令で、光ディスク１００のデータが読み取られ、制御データは、制御データ取得部３０２に導かれる。制御データ取得部３０２は、特にタイトルサーチポインタ（図８、図９、図１０）や、パートオブタイトルサーチポインタ（図２２、図２３、図２４、図２５）等の取り込みが行われる。
【００８３】
この場合、ディスクにより記録されているタイトル数や、タイトルユニット数が異なるために、その再生対象計測部３０３が設けられている。そして、ディスクの一般情報に記述されている再生対象数と、実際に取り込んだ対象数が等しいかどうかを比較し、等しくなったら管理情報の取り込みを停止する。
【００８４】
これにより各ビデオタイトルセットのタイトルユニット（ＴＴＵ）のサーチポインタ（ＴＴＵ＿ＳＲＰ）を知り、これに基づき該当するタイトルユニットのプログラムチェーン番号を知ることができる。プログラムチェーンが決まれば、これに対応するタイトルのセル及びビデオオブジェクトをサーチすることが可能となる。
【００８５】
再生対象となるビデオオブジェクトは、ビデオオブジェクトユニット再生開始アドレスサーチ部３０６により出力される開始アドレスにより決定される。この決定があると、制御コマンド発行部３０１は、読み取り対象となるタイトルあるいはチャプターのセル、つまりビデオオブジェクトユニットの読み取りと再生モードになり、次々と対象となるビデオオブジェクトがイントロ再生される。
【００８６】
次に、イントロ再生する場合、各タイトルのセル（又はビデオオブジェクト）、あるいは各チャプターのセル（又はビデオオブジェクト）をどの程度の時間再生するのかを設定する必要がある。そこで再生対象計測部３０３は、イントロ再生が行われるときに、例えば、セル数、あるいはビデオオブジェクトユニット数、あるいは再生時間情報を管理することにより、１つのタイトルあるいはチャプターの再生時間を制限し、イントロ再生を実現している。
【００８７】
再生中のタイトル番号あるいはチャプター番号の情報は、簡易なディスプレイであるイントロ表示部３０４により表示される。ユーザは所望の表示内容があったときは、リモコンなどのキー操作を行い、例えば再生開始を操作すると、表示内容に対応するタイトル、あるいはチャプターの映像再生が開始される。
【００８８】
図３４には、図３３の再生装置の特にメイン制御部３００の構成を更に具体的に示している。従って、図３３と異なる部分について説明する。
【００８９】
制御データ取得部３０２としては、具体的にはビデオマネージャ一般情報（ＶＭＧＩ）内に記述されているタイトルサーチポインタテーブルを取り込むＴＴサーチポインタ取得部４１１、ビデオタイトルセット情報（ＶＴＳＩ）内に記述されているＰＴＴサーチポインタ取得部４１２、プログラムチェーン情報及びプログラム情報取得部４１３で形成されている。プログラムチェーン情報は、図５に示したように１つ又は複数のプログラムから構成されている。
【００９０】
次に、再生対象数計測部３０３としては、タイトル数計数部４２０、パートオブタイトル数計数部４２１、プログラムチェーン数及びプログラム数計数部４２２により形成されている。また、メイン制御部３００にはタイマも設けられている。
【００９１】
なお上記の説明ではタイトル番号やチャプター番号は、イントロタイトル表示部５０１、イントロチャプタ表示部５０２で表示されるとしているが、この表示個所は、再生装置本体に限るものではなく、ビデオ処理部２０５に転送されて、映像を表示する大型ディスプレイの画面の一部に表示されても良いことは勿論のことである。
【００９２】
図３５、図３６、図３７、図３８、図３９、図４０には、上記の再生装置がイントロ再生を行うときの動作を表わすフローチャートを示している。
【００９３】
図３５は、タイトルイントロ再生の場合を示し、図３６は、チャプターイントロ再生の場合を示している。図３７、図３８は、タイトルイントロ再生の場合と、チャプターイントロ再生する場合とで共通に用いられる動作を示すフローチャートである。
【００９４】
図３５から説明する。タイトルイントロ再生が選択されると、タイトルイントロ再生が開始され、光ディスクのタイトルサーチポインタテーブル（ＶＴＳ＿ＰＴＴ＿ＳＲＰＴ）が取得される（ステップＡ１，Ａ２）。タイトルサーチポインタテーブル内から今度は、タイトルサーチポインタ数（サーチポインタがグループ化しているものはタイトルユニット数ＴＴＵ）が認識される（ステップＡ３）。次に、タイトル番号を取り扱うためのレジスタが初期化される（ステップＡ４）。次に、各タイトルのパートオブタイトルサーチポインタ（ＰＴＴ＿ＳＲＰ）が取得され（ステップＡ５）（サーチポインタがグループ化しているものはその先頭のポインタ）が取得される。次に、パートオブタイトル情報（先頭アドレス）及び当該パートオブタイトルを再生するに必要なプログラムチェーン情報（プログラムチェーン番号及びプログラム番号）が取得される（ＰＧＣＩ情報取得）。そしてこの情報に基づいて、ビデオタイトルセットの所定期間分がイントロ再生される（ステップＡ６）。このイントロ再生が終了（再生期間は、先の再生量制御部３０５によりコントロールされている）すると、レジスタに記憶されているタイトル数と、ディスクから取得したタイトル数とが比較され、レジスタ側の値が小さいときは、レジスタに格納されているタイトル数に＋１が行われ、次のタイトルのパートオブタイトルサーチポインタの取得に移る（ステップＡ７，Ａ８）。次のタイトルが無いときは終了する。
【００９５】
上記ように光ディスクに記録されているタイトルが複数の場合は、そのタイトルの一部を次々と再生してイントロ再生することができる。
【００９６】
図３６はチャプターイントロ再生を行う場合の動作フローチャートを示している。チャプターイントロ再生の場合には、タイトルサーチポインタテーブルを取得してメモリに格納し、このタイトルサーチポインタテーブルからタイトルサーチポインタ数を取得する。ここまでは、先の図３４のステップＡ１，Ａ２，Ａ３と同じである。次に、いずれのタイトルのチャプターのイントロ再生を行うのか、そのタイトル番号の受付を行う（ステップＢ４）。以後は、当該タイトル内のチャプタのイントロ再生を行う（ステップＢ５、Ｂ６）。
【００９７】
図３７を参照して、ＰＴＴサーチポインタ取得動作を説明する。
【００９８】
まずＶＭＧＩに記述されているＰＴＴサーチポインタが取得され、続いてタイトル番号が取得される（ステップＣ１，Ｃ２）。ビデオパートオブタイトルのサーチポインタがわかるとそのタイトルサーチポインタテーブルが取得され、これからパートオブタイトル数（ＰＴＴ＿Ｎｓ），ビデオタイトルセット番号、ビデオタイトルセットタイトル番号、ビデオタイトルセット先頭アドレスが算出される（ステップＣ５）。メモリを有効に、使うためにすべての情報を記憶するのではなく、論理アドレスで記述された内容から計算可能な他の管理情報は、計算により求めるようになっている。次に、ビデオタイトルセット情報（ＶＴＳＩ）を取得する（Ｃ６）。次にビデオタイトルセットパートオブタイトルサーチポインタテーブルを取得し、メモリに格納する。
【００９９】
図３８を参照して、パートオブタイトル情報（ＰＴＴ情報の先頭アドレス）の取得、及び当該パートオブタイトルを再生するに必要なプログラムチェーン情報（プログラムチェーン番号及びプログラム番号）の取得（ＰＧＣＩ情報取得）について説明する。またこの情報に基づいて、ビデオタイトルセットの所定期間分のイントロ再生について説明する。
【０１００】
イントロ再生がスタートすると、レジスタに設定されているビデオタイトル番号（ＶＴＳ＿ＴＴＮ）が読み取られ、対象となるビデオタイトルセットのタイトルユニット数（ＶＴＳ＿ＴＴＵ＿Ｎｓ）と比較される。レジスタに設定されているタイトル番号よりビデオタイトルセット内のタイトルユニット数が小さい場合には、これはディスクエラーとして判定される（Ｄ１，Ｄ２，Ｄ３，Ｄ４）。レジスタに設定されているタイトル番号よりビデオタイトルセット内のタイトルユニット数が大きい場合には、ステップＤ５に移行し、レジスタのＶＴＳ＿ＴＴＮを初期化する。
【０１０１】
次にｎ番目のタイトルユニットサーチポインタのタイトルユニット先頭アドレス（図２４）を取得する（ステップＤ６）。次にステップＤ７では、実際のタイトルユニット先頭アドレスの換算を行う。即ち、先のｎ番目のタイトルユニットサーチポインタのｎが１であれば、そのままタイトルユニット先頭アドレスは、利用できるが、図２２に示すように、タイトルユニットサーチポインタとして例えば２番目のものを取得したい場合には、第１番目のタイトルユニットサーチポインタのサイズに対して、取得したタイトルユニット先頭アドレスを加算することにより目的のタイトルユニットサーチポインタのスタートアドレスを知ることができる。即ち、図２２に示すように、スタートアドレスは、４バイトで記述されているので、１番目サーチポインタのアドレスは、４バイト、２番目のサーチポインタのアドレスを知る場合は、４バイトのオフセットを与えて読み取る必要があるからである。３番目のサーチポインタのアドレスを知る場合は、８バイトのオフセットを与えて読み取る必要がある（ステップＤ６、Ｄ７）。
【０１０２】
次に、タイトルユニットサーチポインタのスタートアドレスが分かれば、このアドレスのデータを読み取ることにより、パートオブタイトルのサーチポインタを知ることができる。このことは、図２５に示すように、各当該タイトル内に含まれるプログラムチェーン番号を把握することになる（Ｄ８，Ｄ９）。
【０１０３】
次に、レジスタのプログラム番号を１に初期化し、プログラムチェーンに基づく再生が行われる（ステップＤ１０，Ｄ１１）。
【０１０４】
プログラムチェーンに基づく再生が、所定時間あるいは所定セル数、あるいは所定ビデオオブジェクトユニット数分行われると、ステップＤ１２に移行し、今のモードがタイトルイントロ再生モードであるのか、チャプタイントロ再生モードであるのかを判別する。タイトルイントロ再生モードのときは、ステップＤ１３に移行し、図３５で説明したように次のタイトル番号にジャンプする。つまりステップＤ１に戻り、次のタイトルの一部のプログラムチェーンの取得が行われ、プログラムチェーンに基づく再生が、所定時間あるいは所定セル数、あるいは所定ビデオオブジェクトユニット数分行われる。
【０１０５】
ステップＤ１２において、チャプタイントロ再生モードが設定されている場合には、ステップＤ１４に移行して、タイトル内のパートオブタイトル（ＰＴＴ）を単位とする再生モードであるのか、あるいは、プログラム（ＰＧ）を単位とする再生モードであるのかの判別を行う（Ｄ１５）。
【０１０６】
パートオブタイトル（ＰＴＴ）を単位とする再生モードであれば現在再生したのパートオブタイトルが最終のものであるかどうかの判定をおこない、最終でなければ次のＰＴＴへジャンプし、最終であればステップＤ１３に移行する。次のＰＴＴへジャンプした場合には、ステップＤ６へ移行する。
【０１０７】
ステップＤ１４において、プログラム（ＰＧ）を単位とする再生モードであればプログラムが最終のものであるかどうかの判定を行い（ステップＤ１６）、最終でなければ次のプログラムの再生のためにポストコマンドを実行し（ステップＤ１７），ステップＤ１８に移行する。ステップＤ１８においては、つぎのプログラムチェーン番号の判別が行われプログラムチェーン番号が最終の場合は、ステップＤ１３に移行し、最終でない場合には、次のプログラムチェーン番号のオブジェクトの再生に移る（ステップＤ１８）。次にプログラムチェーンに移行する場合には、ステップＤ９に移る。
【０１０８】
上記したように、この発明の装置は、イントロ再生のジャンプ単位がタイトル単位、パートオブタイトル（チャプタ）単位、プログラムチェーン単位、プログラム単位のいずれでも動作することができる。プログラム単位であると、図５に示したようにセル数により再生時間を管理すると便利である。
【０１０９】
図３９には、プログラムチェーン情報の取得動作を示すフローチャートを示している。レジスタのプログラムチェーン番号（ＰＧＣＮ）と、所得したプログラムチェーン情報サーチポインタ数（ＶＴＳ＿ＰＧＣＩ＿ＳＲＰの数（図２６のＰＧＣＩテーブル情報内に記述されている））とを比較する（ステップＥ１，Ｅ２，Ｅ３）。レジスタのプログラムチェーン番号が所得したポインタ数より小さい場合には、当該とプログラムチェーン番号から、該当するプログラムチェーン情報の先頭アドレス及び終了アドレスを取得し、プログラムチェーン情報を取得する（ステップＥ４，Ｅ５，Ｅ６）。
【０１１０】
図４０には、プログラムチェーン再生処理のための動作を示している。
【０１１１】
プリコマンドが実行されると、当該プログラムチェーン内のプログラム数が取得される。プログラム数は、図２６のＶＴＳ＿ＰＧＣＩ（ビデオタイトルセットプログラムチェーン情報）内に記述されている。つまり、プログラムチェーン情報は、ビデオマネージャーテーブル、ビデオタイトルセットいフォーメイションテーブルに存在する。
【０１１２】
図４１には、プログラムチェーン情報の内容を示している。即ちプログラムチェーン一般情報（ＰＧＣＩ＿ＧＩ）、プログラムチェーン子マントテーブル（ＰＧＣ＿ＣＭＤＴ）、プログラムチェーンプログラムマップ（ＰＧＣ＿ＰＧＭＡＰ）、セル再生情報テーブル（Ｃ＿ＰＢＩＴ）、セル位置情報テーブル（Ｃ＿ＰＯＳＩＴ）から構成されている。このプログラムチェーン情報は、図５で示したような関係を示していいる。プログラムチェーン一般情報（ＰＧＣ＿ＧＩ）内には、図４２に示すようにＰＧＣ内容、ＰＧＣ再生時間、ＰＧＣユーザ操作制御情報などが記述されている。そして、ＰＧＣ＿ＣＮＴには、図４３に示すように、プログラム数（ＰＧＣＮ）が記述され、又プログラムチェーン内のセル数も記述されている。
【０１１３】
したがって、この情報を参照することにより、図４０におけるプログラム数の取得、プログラムの有無判別、セル数あるいはＶＯＢＵ数の判別が可能となる（ステップＦ１，Ｆ２，Ｆ３）。
【０１１４】
なおビデオオブジェクトユニット（ＶＯＢＵ）の数は、ビデオマネージャーに関してはビデオマネージャーメニュービデオオブジェクトユニットアドレスマップ情報（ＶＭＧＭ＿ＶＯＢＵ＿ＡＤＭＡＰＩ）に、当該アドレスマップの終了アドレスが記述され、その後にビデオオブジェクトユニットアドレス（ＶＭＧＭ＿ＶＯＢＵ＿ＡＤ＃ｎ）が記述されている。このアドレスは、ＶＯＢＵの先頭アドレスを記述されている。このアドレスは、４バイトでＶＯＢＵの数分記述されているので、４バイトずつ、アドレスマップの終了アドレスまで、カウントすればＶＯＢＵの数が分かるので、これから最大ＶＯＢＵまで再生したかどうかの判定を行うことができる（図４０のステップＦ４，Ｆ５，Ｆ６，Ｆ７）。
【０１１５】
図４４は、パートオブタイトルのセルを２つずつ再生した場合の、信号の読み取り状況をの例を示している。即ち、プログラムチェーンにより再生される各プログラム（ＰＧ）の先頭から２つのセルＣずつを順次再生した場合の様子である。
【０１１６】
【発明の効果】
上記したように、この発明によると、再生制御やメニュー制御等を行うための管理情報を利用して、ポイントサーチを簡易化し、かつサーチ時間を短縮化することができるタイトル／チャプターのイントロ再生装置を得ることができる。
【図面の簡単な説明】
【図１】この発明に係る光ディスクのボリウム空間の説明図。
【図２】上記光ディスクのＤＶＤゾーンにおける更に論理フォーマットを示す説明図。
【図３】上記光ディスクにおけるビデオオブジェクトセットの論理フォーマットの内容を示す説明図。
【図４】上記光ディスクにおけるビデオオブジェクトとセルとの関係を示す説明図。
【図５】上記光ディスクにおけるプログラムチェーンとセルとの関係を示す説明図。
【図６】上記光ディスクにおける管理情報であるビデオマネージャの内容を示す説明図。
【図７】図６のビデオマネージャにおけるビデオマネージャ管理情報テーブルの内容を示す図。
【図８】ビデオマネージャにおけるタイトルサーチポインタの内容を示す説明図。
【図９】図８のタイトルサーチポインタテーブル情報内の情報を更に詳しく示す説明図。
【図１０】図８のタイトルサーチポインタの内容を示す図。
【図１１】ビデオマネージャメニュープログラムチェーン情報のユニットテーブルを詳しく示す図。
【図１２】ビデオマネージャ情報におけるパレンタルマネジメント情報テーブルの内容を詳しく示す図。
【図１３】ビデオマネージャ情報におけるパレンタルマネジメント情報テーブルの内容を示す図。
【図１４】図１３におけるビデオタイトルセット属性テーブル情報の内容を示す図。
【図１５】図１３におけるビデオタイトルセット属性サーチポインタの内容を示す図。
【図１６】図１３におけるビデオタイトルセット属性情報を示す図。
【図１７】ビデオマネージャ情報におけるテキストデータマネージャの内容を詳しく示す図。
【図１８】ビデオマネージャ情報におけるビデオマネージャメニューセルアドレステーブルの内容を詳しく示す図。
【図１９】ビデオマネージャ情報におけるビデオマネージャメニュービデオオブジェクトユニットアドレスマップの内容を示す図。
【図２０】ビデオタイトルセット情報の内容を示す図。
【図２１】図２０のビデオタイトルセット情報管理テーブルの内容を示す図。
【図２２】ビデオタイトルセット情報におけるビデオタイトルセットパートオブタイトルサーチポインタテーブルの内容を示す図。
【図２３】図２２のパートオブタイトルサーチポインタテーブル情報の内容を示す図。
【図２４】図２２のパートオブタイトルユニットサーチポインタの内容を示す図。
【図２５】図２２のパートオブタイトルサーチポインタの内容を示す図。
【図２６】ビデオタイトルセット情報におけるビデオタイトルセットプログラムチェーン情報テーブルの内容を示す図。
【図２７】ビデオタイトルセット情報におけるビデオタイトルセットプログラムチェーン情報ユニットテーブルの内容を示す図。
【図２８】ビデオタイトルセット情報におけるビデオタイトルセットタイムマップテーブルの内容を示す図。
【図２９】ビデオタイトルセット情報におけるビデオタイトルセットセルアドレステーブルの内容を示す図。
【図３０】ビデオタイトルセット情報におけるビデオタイトルセットメニュービデオオブジェクトユニットアドレスマップの内容を示す図。
【図３１】ビデオタイトルセット情報におけるビデオタイトルセットセルアドレステーブルの内容を示す図。
【図３２】ビデオタイトルセット情報におけるビデオオブジェクトユニットアドレスマップの内容を示す図。
【図３３】この発明の一実施例におけるディスク再生装置に構成図。
【図３４】図３３の装置を更に詳しく示す図。
【図３５】この発明の装置がタイトルイントロ再生を行う場合の動作例を説明するためのフローチャート。
【図３６】この発明の装置がチャプタイントロ再生を行う場合の動作例を説明するためのフローチャート。
【図３７】ビデオタイトルセット情報からビデオタイトルセットパートオブタイトルサーチポインタを取得する動作を示すフローチャート。
【図３８】パートオブタイトル情報、プログラムチェーン情報等の管理情報を取得して、イントロ再生動作を行う場合のフローチャートを具体的に示す図。
【図３９】プログラムチェーン情報を取得するする場合の動作を示すフローチャート。
【図４０】セル及びビデオオブジェクトユニットの再生動作を示すフローチャート。
【図４１】プログラムチェーン情報の内容を示す図。
【図４２】図４１のプログラムチェーン一般情報を示す図。
【図４３】図４２のプログラムチェーンの内容を示す図。
【図４４】イントロ再生の様子をセル単位で示す動作説明図。
【符号の説明】
１００…光ディスク、１０１…ディスクドライブ、１０２…一時記憶部、１０３…データ処理部、２００…デコーダ部、２０１…分離部、２０２…ビデオデコード部、２０３…副映像デコード部、２０４…オーディオデコード部、２０５…ビデオ処理部、２０６、２０７…デジタルアナログ変換器、３００…メイン制御部、３０１…制御コマンド発行部、３０２…制御データ取得部、３０３…再生対象計測部、３０４…イントロ表示部、３０５…再生量制御部、３０６…ＶＯＢＵ再生開始アドレスサーチ部。
【図１】
0003643477.tif 000002
【図２】
0003643477.tif 000003
【図３】
0003643477.tif 000004
【図４】
0003643477.tif 000005
【図５】
0003643477.tif 000006
【図６】
0003643477.tif 000007
【図７】
0003643477.tif 000008
【図８】
0003643477.tif 000009
【図９】
0003643477.tif 000010
【図１０】
0003643477.tif 000011
【図１１】
0003643477.tif 000012
【図１２】
0003643477.tif 000013
【図１３】
0003643477.tif 000014
【図１４】
0003643477.tif 000015
【図１５】
0003643477.tif 000016
【図１６】
0003643477.tif 000017
【図１７】
0003643477.tif 000018
【図１８】
0003643477.tif 000019
【図１９】
0003643477.tif 000020
【図２０】
0003643477.tif 000021
【図２１】
0003643477.tif 000022
【図２２】
0003643477.tif 000023
【図２３】
0003643477.tif 000024
【図２４】
0003643477.tif 000025
【図２５】
0003643477.tif 000026
【図２６】
0003643477.tif 000027
【図２７】
0003643477.tif 000028
【図２８】
0003643477.tif 000029
【図２９】
0003643477.tif 000030
【図３０】
0003643477.tif 000031
【図３１】
0003643477.tif 000032
【図３２】
0003643477.tif 000033
【図３３】
0003643477.tif 000034
【図３４】
0003643477.tif 000035
【図３５】
0003643477.tif 000036
【図３６】
0003643477.tif 000037
【図３７】
0003643477.tif 000038
【図３８】
0003643477.tif 000039
【図３９】
0003643477.tif 000040
【図４０】
0003643477.tif 000041
【図４１】
0003643477.tif 000042
【図４２】
0003643477.tif 000043
【図４３】
0003643477.tif 000044
【図４４】
0003643477.tif 000045